(57)【特許請求の範囲】
【請求項１】
第１情報を含むアイコンを複数表示することが可能な表示部と、
前記表示部に対する接触を検知する検知部と、
アイコンが第１表示態様で前記表示部に表示される状態のときに、前記検知部によって前記表示部に表示される１以上のアイコンを囲むような軌跡の接触を検知した場合に、当該アイコンとは異なる他のアイコンを前記第１表示態様よりも表示面積を拡大した第２表示態様で前記表示部に表示させると共に、当該アイコンを前記第１表示態様よりも表示面積を縮小した第３表示態様で前記表示部に表示させる制御部と、
を備える情報処理装置。
【請求項２】
前記制御部は、
前記検知部の検知結果に基づいて、前記表示部に対する接触の軌跡により１以上のアイコンが囲まれた回数を検知すると共に、前記軌跡が描かれる方向を検知し、
検知された回数と検知された方向とに基づいて、前記アイコンを第１表示態様から第３態様に変更する場合の縮小率を変える
請求項１に記載の情報処理装置。
【請求項３】
前記表示部及び前記検知部は、タッチパネルを構成する
請求項１又は２に記載の情報処理装置。
【請求項４】
請求項１から３のいずれか１項に記載の情報処理装置を備える
画像形成装置。
【発明の詳細な説明】
【技術分野】
【０００１】
本発明は、表示部に表示される画像を拡大又は縮小する情報処理装置、及び、その情報処理装置を備える画像形成装置に関する。
【背景技術】
【０００２】
情報処理装置には、画像を表示する表示部と、表示部に対する接触物の接触を検知する検知部とから構成されるタッチパネルを備えるものがある。このような情報処理装置には、表示部に画像を表示している場合に、表示部に接触されたユーザの指によって時計回りの円が描かれた場合には、表示部に表示される画像を拡大する一方、指によって反時計回りの円が描かれた場合には、表示部に表示される画像を縮小するものがある（特許文献１参照）。
【先行技術文献】
【特許文献】
【０００３】
【特許文献１】特開２００２−３１１８２０号公報
【発明の概要】
【発明が解決しようとする課題】
【０００４】
しかしながら、特許文献１に記載された発明は、表示部に表示されている画像全体を拡大し又は縮小するものであり、ユーザが関心を持っている画像の一部分（例えば、特定のアイコン）のみを拡大し又は縮小するものではない。
【０００５】
本発明は、ユーザが所望するアイコンの表示態様を変更することが可能な情報処理装置を提供することを目的とする。
また、本発明は、その情報処理装置を備える画像形成装置を提供することを目的とする。
【課題を解決するための手段】
【０００６】
本発明は、第１情報を含むアイコンを複数表示することが可能な表示部と、前記表示部に対する接触を検知する検知部と、アイコンが第１表示態様で前記表示部に表示される状態のときに、前記検知部によって前記表示部に表示される１以上のアイコンを囲むような軌跡の接触を検知した場合、当該アイコンを前記第１表示態様よりも表示面積を拡大した第２表示態様にすると共に、当該アイコンを前記表示部の中央領域に配置して前記表示部に表示させる制御部と、を備える情報処理装置に関する。
【０００７】
また、前記制御部は、第２表示態様にされたアイコンに第２情報を含ませて前記表示部に表示させることが好ましい。
【０００８】
また、前記制御部は、前記検知部の検知結果に基づいて、前記表示部に対する接触の軌跡により１以上のアイコンが囲まれた回数を検知すると共に、前記軌跡が描かれる方向を検知し、検知された回数と検知された方向とに基づいて、前記アイコンを第１表示態様から第２表示態様に変更する場合の拡大率を変えることが好ましい。
【０００９】
また、本発明は、第１情報を含むアイコンを複数表示することが可能な表示部と、前記表示部に対する接触を検知する検知部と、アイコンが第１表示態様で前記表示部に表示される状態のときに、前記検知部によって前記表示部に表示される１以上のアイコンを囲むような軌跡の接触を検知した場合に、当該アイコンとは異なる他のアイコンを前記第１表示態様よりも表示面積を拡大した第２表示態様で前記表示部に表示させると共に、当該アイコンを前記第１表示態様よりも表示面積を縮小した第３表示態様で前記表示部に表示させる制御部と、を備える情報処理装置に関する。
【００１０】
また、前記制御部は、前記検知部の検知結果に基づいて、前記表示部に対する接触の軌跡により１以上のアイコンが囲まれた回数を検知すると共に、前記軌跡が描かれる方向を検知し、検知された回数と検知された方向とに基づいて、前記アイコンを第１表示態様から第３態様に変更する場合の縮小率を変えることが好ましい。
【００１１】
また、本発明は、第１情報を含むアイコンを複数表示することが可能な表示部と、前記表示部に対する接触を検知する検知部と、前記表示部に表示される予定のアイコンに関する情報とアイコンを前記表示部に表示する順番とが関連付けられた順番情報を記憶する記憶部と、アイコンが第１表示態様で前記表示部に表示される状態のときに、前記検知部によって前記表示部に表示される１以上のアイコンを囲むような軌跡の接触を検知した場合に、当該アイコンを表示部から消去すると共に、前記記憶部に記憶される順番情報に基づいて、特定のアイコンを前記表示部に追加表示させる制御部と、を備える情報処理装置に関する。
【００１２】
また、前記表示部及び前記検知部は、タッチパネルを構成することが好ましい。
【００１３】
また、本発明は、上述した情報処理装置を備える画像形成装置に関する。
【発明の効果】
【００１４】
本発明は、ユーザが所望するアイコンの表示態様を変更することが可能な情報処理装置、及び、その情報処理装置を備える画像形成装置を提供することができる。
【図面の簡単な説明】
【００１５】
【図１】コピー機の全体構成を説明するための図である。
【図２】コピー機の機能構成を示すブロック図である。
【図３】記憶部に記憶される順番情報について説明するための図である。
【図４】タッチパネルに表示される画面について説明するための第１の図である。
【図５】タッチパネルに表示される画面について説明するための第２の図である。
【図６】タッチパネルに表示される画面について説明するための第３の図である。
【図７】タッチパネルに表示される画面について説明するための第４の図である。
【図８】タッチパネルに表示される画面について説明するための第５の図である。
【図９】タッチパネルに表示される画面について説明するための第６の図である。
【図１０】タッチパネルに表示される画面について説明するための第７の図である。
【図１１】タッチパネルに表示される画面について説明するための第８の図である。
【図１２】タッチパネルに表示される画面について説明するための第９の図である。
【発明を実施するための形態】
【００１６】
以下、図面を参照して、本発明の情報処理装置の一実施形態について説明する。なお、本実施形態では、情報処理装置が画像形成装置の一例であるコピー機に搭載された場合について説明する。このため、まず、コピー機について説明する。図１は、コピー機１の全体構成を説明するための図である。
【００１７】
コピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１８】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１９】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００２０】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００２１】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００２２】
画像形成部４０は、感光体ドラム４１と、帯電部４２と、レーザースキャナユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナユニット４３と、現像器４４と、クリーニング部４５とが配置される。帯電部４２は、感光体ドラム４１の表面を帯電させる。レーザースキャナユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２３】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２４】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２５】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２６】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、制御部９０とを備える。
【００２７】
操作部７０は、タッチパネル７１、テンキー（図示せず）、及びスタートキー（図示せず）等を備える。タッチパネル７１は、種々の機能（一例として、印刷倍率の設定機能や、複数のページを１枚の用紙Ｔに割り付ける機能（２ｉｎ１等））が割り当てられた複数のキー等を表示する。タッチパネル７１に表示されたキーは、種々の機能のうちのいずれかをコピー機１に実行させるために操作される。テンキーは、印刷部数等の数字を入力するために操作される。スタートキーは、印刷を実行させるために操作される。操作部７０は、いずれかのキーが操作されることにより、このキーが操作されたことを表す信号を制御部９０に供給する。
【００２８】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２９】
制御部９０は、原稿搬送部１０、原稿読取部２０、エンジン部３、操作部７０等を制御する。
【００３０】
次に、情報処理装置１００について説明する。図３は、記憶部８０に記憶される順番情報について説明するための図である。
図２に示すように、情報処理装置１００は、タッチパネル７１と、記憶部８０と、制御部９０とを備える。タッチパネル７１は、表示部７１１と、検知部７１２とを備える。
【００３１】
表示部７１１は、第１情報を含むアイコン１１２を複数表示することが可能である。アイコン１１２は、表示部７１１に表示されるボタンのことである。第１情報は、アイコン１１２に割り当てられた機能を示す情報である。例えば、原稿載置部１１に載置された原稿のサイズを選択する機能が割り当てられたアイコン１１２の場合、そのアイコン１１２に含まれる第１情報は、「原稿サイズ」になる。
【００３２】
検知部７１２は、表示部７１１に対する接触物の接触を検知する。接触物は、ユーザの指やスタイラスと呼ばれる入力用ペン等である。検知部７１２は、接触物による表示部７１１への接触を検知した場合に、接触物が接触した位置を示す位置情報を制御部９０に出力する。検知部７１２は、例えば、抵抗膜式や静電容量式等であればよい。
【００３３】
上述した記憶部８０は、さらに、表示部７１１に表示される予定のアイコン１１２に関する情報（アイコン情報）とアイコン１１２を表示部７１１に表示する順番とが関連付けられた順番情報を記憶する。順番情報は、所定の条件の場合に、アイコン１１２を表示部７１１に表示させるために利用される。順番は、アイコン１１２を表示部７１１に表示させる順番を規定する。その順番は、ユーザがアイコン１１２を選択する可能性がより高いものから順に設定される。すなわち、優先度の高いアイコン１１２が若い順番に設定される。また、アイコン情報は、表示部７１１に表示されるアイコン１１２に割り当てられる機能を示す。例えば、図３に示す場合では、順番１に、印刷倍率を選択させるための機能をアイコン１１２に割り当てる「倍率」が設定される。また、順番２に、両面印刷を実行させるための機能をアイコン１１２に割り当てられる「両面」が設定される。さらに、順番３に、印刷濃度を選択させるための機能をアイコン１１２に割り当てる「濃度」が設定される。
【００３４】
制御部９０は、アイコン１１２が第１表示態様で表示部７１１に表示される状態のときに、検知部７１２によって表示部７１１に表示される１以上のアイコン１１２を囲むような軌跡の接触物による接触を検知した場合、そのアイコン１１２を第１表示態様よりも表示面積を拡大した第２表示態様にすると共に、そのアイコン１１２を表示部７１１の中央領域に配置して表示する。アイコン１１２が第１表示態様で表示部７１１に表示される状態とは、アイコン１１２の表示面積を初期設定の状態で表示部７１１に表示することをいう。アイコン１１２の第２表示態様とは、第１表示態様のアイコン１１２における縦方向の寸法及び横方向の寸法よりもそれぞれの寸法を大きくすることにより、アイコン１１２の表示面積が拡大された場合のことをいう。アイコン１１２を囲むような軌跡とは、円形や楕円形や四角形等の軌跡のことである。また、アイコン１１２を囲むような軌跡は、軌跡によってアイコン１１２を完全に囲んだ場合ばかりでなく、軌跡によってアイコン１１２の一部を囲んだ場合をも含む。アイコン１１２の一部を囲むような軌跡は、例えば、半円の軌跡によってアイコン１１２を囲んだ場合である。
【００３５】
また、制御部９０は、第２表示態様にされたアイコン１１２に第２情報を含ませて表示部７１１に表示させることが好ましい。第２情報は、第２表示態様にされたアイコン１１２の説明である。例えば、アイコン「用紙選択」が第２表示態様にされた場合には、制御部９０は、そのアイコン「用紙選択」に対応する説明（例えば、「給紙元のカセットを変更して、用紙を選択します。」）をアイコン「用紙選択」に含ませる。
【００３６】
また、制御部９０は、検知部７１２の検知結果に基づいて、表示部７１１に対する接触物の接触の軌跡により１以上のアイコン１１２が囲まれた回数を検知すると共に、軌跡が描かれる方向を検知し、検知された回数と検知された方向とに基づいて、アイコン１１２を第１表示態様から第２表示態様に変更する場合の拡大率を変えることが好ましい。アイコン１１２が囲まれた回数は、拡大率を決定する。例えば、アイコン１１２が囲まれた回数が１回（軌跡が一重）の場合には、制御部９０は、拡大率を１５０％に設定する。また、アイコン１１２が囲まれた回数が２回（軌跡が二重）の場合には、制御部９０は、拡大率を２００％に設定する。軌跡が描かれる方向は、表示部７１１に第１表示態様で表示されるアイコン１１２の表示面積を拡大するか、縮小するかを決定する。例えば、軌跡が描かれる方向が右回りの場合には、制御部９０は、表示部７１１に第１表示態様で表示されるアイコン１１２の表示面積を拡大するように設定する。
【００３７】
また、制御部９０は、アイコン１１２が第１表示態様で表示部７１１に表示される状態のときに、検知部７１２によって表示部７１１に表示される１以上のアイコン１１２を囲むような軌跡の接触物による接触を検知した場合に、そのアイコン１１２とは異なる他のアイコン１１２を第１表示態様よりも表示面積を拡大した第２表示態様で表示部７１１に表示させると共に、そのアイコン１１２を第１表示態様よりも表示面積を縮小した第３表示態様で表示部７１１に表示させる。例えば、アイコン１１２として「原稿サイズ」、「用紙選択」及び「混合サイズ原稿」のそれぞれが第１表示態様で表示部７１１に表示されている状態において、アイコン「用紙選択」を囲むように軌跡が描かれた場合には、制御部９０は、アイコン「原稿サイズ」及び「混合サイズ原稿」の表示面積を所定の拡大率で拡大して表示部７１１に表示させる。さらに、制御部９０は、アイコン「用紙選択」の表示面積を所定の縮小率で縮小して表示部７１１に表示させる。
【００３８】
また、制御部９０は、検知部７１２の検知結果に基づいて、表示部７１１に対する接触物の接触の軌跡により１以上のアイコン１１２が囲まれた回数を検知すると共に、軌跡が描かれる方向を検知し、検知された回数と検知された方向とに基づいて、アイコン１１２を第１表示態様から第３態様に変更する場合の縮小率を変えることが好ましい。アイコン１１２が囲まれた回数は、縮小率を決定する。例えば、アイコン１１２が囲まれた回数が１回（軌跡が一重）の場合には、制御部９０は、縮小率を７５％に設定する。また、アイコン１１２が囲まれた回数が２回（軌跡が二重）の場合には、制御部９０は、縮小率を５０％に設定する。軌跡が描かれる方向は、表示部７１１に第１表示態様で表示されるアイコン１１２の表示面積を拡大するか、縮小するかを決定する。例えば、軌跡が描かれる方向が左回りの場合には、制御部９０は、表示部７１１に第１表示態様で表示されるアイコン１１２を縮小するように設定する。
【００３９】
また、制御部９０は、アイコン１１２が第１表示態様で表示部７１１に表示される状態のときに、検知部７１２によって表示部７１１に表示される１以上のアイコン１１２を囲むような軌跡の接触物による接触を検知した場合に、そのアイコン１１２を表示部７１１から消去すると共に、記憶部８０に記憶される順番情報（図３参照）に基づいて、特定のアイコンを表示部７１１に追加表示させる。
【００４０】
例えば、アイコン１１２として「原稿サイズ」、「用紙選択」及び「混合サイズ原稿」のそれぞれが第１表示態様で表示部７１１に表示されている状態において、アイコン「用紙選択」を囲むように軌跡が描かれた場合には、制御部９０は、アイコン「用紙選択」を表示部７１１に表示させない。さらに、制御部９０は、記憶部８０に記憶される順番情報（図３参照）を参照して、その順番情報において順番１に設定されているアイコン情報「倍率」を特定し、特定されたアイコン情報「倍率」に対応するアイコン１１２（倍率を変更する機能が割り当てられているアイコン１１２）を表示部７１１に表示させる。なお、軌跡によって囲まれたアイコン１１２が２つの場合には、制御部９０は、順番情報において順番１及び順番２に設定されるアイコン情報を特定し、特定されたアイコン情報に対応するアイコン１１２を表示部７１１に表示させる。
【００４１】
次に、本実施形態における情報処理装置１００の動作について説明する。
まず、情報処理装置１００の第１の動作について説明する。図４は、タッチパネル７１に表示される画面について説明するための第１の図である。図５は、タッチパネル７１に表示される画面について説明するための第２の図である。図６は、タッチパネル７１に表示される画面について説明するための第３の図である。
【００４２】
図４に示すように、タッチパネル７１（表示部７１１）には、制御部９０の制御に基づいて、複数のタブ１１１が表示される。各タブ１１１には、複数のアイコン１１２が割り当てられている。そして、選択されているタブ１１１に割り当てられているアイコン１１２は、タッチパネル７１に表示される。図４に示す場合では、タブ「原稿／用紙／仕上げ」が選択されているため、タッチパネル７１には、制御部９０の制御に基づいて、そのタブ１１１に割り当てられているアイコン「原稿サイズ」、「用紙選択」、「混合サイズ原稿」、「原稿の傾き」、「張合／オフセット」、「ステープル／パンチ」「用紙出力」が表示される。このように、１以上のアイコン１１２がタッチパネル７１に表示される場合に、ユーザの指等をタッチパネル７１に接触させて、その指等によりアイコン１１２を囲むような軌跡を描いたときには、検知部７１２は、タッチパネル７１に接触する指等の位置情報を制御部９０に出力する。
【００４３】
制御部９０は、検知部７１２から位置情報が入力された場合、その位置情報に基づいて、指等により描かれた軌跡を検出する。すなわち、制御部９０は、検出した軌跡が円や楕円や四角等のアイコン１１２を囲むことが可能な軌跡であり、且つ、その軌跡が右回りなのか又はその軌跡が左回りなのかを検出する。また、制御部９０は、その位置情報とタッチパネル７１に表示させているアイコン１１２の位置情報とに基づいて、軌跡によって囲まれたアイコン１１２（図４に示す場合では、アイコン「用紙選択」）を特定する。ここで、アイコン１１２の位置情報は、例えば、記憶部８０に記憶されている。
【００４４】
さらに、制御部９０は、右回りの軌跡を検出し、且つ、アイコン１１２を特定した場合、特定されたアイコン１１２の表示面積を所定の拡大率で拡大してタッチパネル７１（表示部７１１）に表示させる。一方、制御部９０は、左回りの軌跡を検出し、且つ、アイコン１１２を特定した場合、特定されたアイコン１１２の表示面積を所定の縮小率で縮小してタッチパネル７１（表示部７１１）に表示させる。ここで、制御部９０は、特定されたアイコン１１２を拡大し又は縮小してタッチパネル７１に表示させる場合には、特定されたアイコン１１２をタッチパネル７１の中央に配置する。
【００４５】
図４に示す場合、制御部９０は、右回りの軌跡を検出し、且つ、アイコン「用紙選択」を特定する。この場合、図５に示すように、制御部９０は、アイコン「用紙選択」の表示面積を所定の拡大率で拡大し、且つ、アイコン「用紙選択」をタッチパネル７１の中央に配置して、そのアイコン「用紙選択」をタッチパネル７１に表示させる。
【００４６】
なお、制御部９０は、軌跡を検出し、且つ、アイコン１１２を特定した場合、特定したアイコン１１２のみをタッチパネル７１に表示させることが可能である。例えば、制御部９０は、右回りの軌跡を検出し、且つ、アイコン「用紙選択」を特定した場合、図６に示すように、特定されたアイコン１１２の表示面積を所定の拡大率で拡大して、そのアイコン「用紙選択」のみをタッチパネル７１の中央に表示させる。一方、制御部９０は、左回りの軌跡を検出し、且つ、アイコン１１２を特定した場合、特定されたアイコン１１２のサイズを所定の縮小率で縮小して、その特定されたアイコン１１２のみをタッチパネル７１に表示させる。
【００４７】
次に、情報処理装置１００の第２の動作について説明する。図７は、タッチパネル７１に表示される画面について説明するための第４の図である。
制御部９０は、軌跡を検出し、且つ、アイコン１１２を特定した場合、特定されたアイコン１１２と他のアイコン１１２とを拡大し又は縮小してタッチパネル７１に表示させることが可能である。例えば、制御部９０は、右回りの軌跡を検出し、且つ、アイコン「用紙選択」を特定した場合、図７に示すように、特定されたアイコン「用紙選択」と、そのアイコン「用紙選択」の隣に配置されるアイコン「原稿サイズ」、「混合サイズ原稿」との表示面積を同じ拡大率で拡大して、それらのアイコン１１２をタッチパネル７１に「用紙選択」を中心に表示させる。一方、制御部９０は、左回りの軌跡を検出し、且つ、アイコン１１２を特定した場合、特定されたアイコン１１２と、その他のアイコン１１２との表示面積を同じ縮小率で縮小して、それらのアイコン１１２をタッチパネル７１に表示させる。
【００４８】
次に、情報処理装置１００の第３の動作について説明する。図８は、タッチパネル７１に表示される画面について説明するための第５の図である。図９は、タッチパネル７１に表示される画面について説明するための第６の図である。
また、制御部９０は、右回りの軌跡を検出すると共にアイコン１１２を特定することにより、アイコン１１２を拡大してタッチパネル７１に表示させた場合には、特定されたアイコン１１２の内部に第２情報を配置することが好ましい。第２情報としては、例えば、特定されたアイコン１１２の説明である。具体的な一例としては、制御部９０は、上述した例のように、右回りの軌跡を検出し、且つ、アイコン「用紙選択」を特定した場合には、アイコン「用紙選択」に対応する説明を記憶部８０から読み出す。ここで、アイコン「用紙選択」に対応する説明は、予め記憶部８０に記憶されている。さらに、制御部９０は、図８に示すように、アイコン「用紙選択」を所定の拡大率で拡大してタッチパネル７１に表示させると共に、アイコン「用紙選択」の内部に、記憶部８０から読み出されたそのアイコン１１２の説明「給紙元のカセットを変更して、用紙を選択します。」を配置してタッチパネル７１に表示させる。
【００４９】
また、制御部９０は、第２情報としてアイコン１１２をさらに表示させることが可能である。例えば、アイコン「用紙選択」の内部にさらに配置されるアイコン１１２ａには、用紙サイズ「Ａ４」、「Ａ３」、「Ｂ５」、「Ｂ４」等が挙げられる。ここで、用紙サイズのアイコン１１２ａは、給紙カセットに収容されている用紙のサイズであることが好ましい。具体的な一例としては、制御部９０は、上述した例のように、右回りの軌跡を検出し、且つ、アイコン「用紙選択」を特定した場合には、給紙カセットに収容されている用紙のサイズを、ユーザによって用紙サイズが設定される設定部（図示せず）又は給紙カセットに配置される用紙サイズセンサー（図示せず）から読み出す。さらに、制御部９０は、図９に示すように、アイコン「用紙選択」を所定の拡大率で拡大してタッチパネル７１に表示させると共に、アイコン「用紙選択」の内部に、読み出された用紙サイズに対応するアイコン「Ａ４」、「Ａ３」、「Ｂ５」、「Ｂ４」を配置してタッチパネル７１に表示させる。この場合、制御部９０は、ユーザによって、例えば、アイコン「Ａ４」が選択された場合には、画像が形成される用紙をＡ４サイズに設定する。
【００５０】
なお、上述した例では、ユーザの指等によって描かれる軌跡が一重のものについて説明した。しかしながら、ユーザの指等によって描かれる軌跡は、二重以上であってもよい。この場合、制御部９０は、検知部７１２の検知結果に基づいて、軌跡が何重であるのかを検出することができる。さらに、制御部９０は、軌跡の周回数に応じて、特定されたアイコン１１２の表示面積の拡大率又は縮小率を変更することが可能である。例えば、制御部９０は、一重の軌跡（右回り）の場合には、特定のアイコン１１２の拡大率を１５０％に設定する。また、例えば、制御部９０は、二重の軌跡（右回り）の場合には、特定のアイコン１１２の拡大率を２００％に設定する。一方、例えば、制御部９０は、一重の軌跡（左回り）の場合には、特定のアイコン１１２の縮小率を７５％に設定する。また、例えば、制御部９０は、二重の軌跡（左回り）の場合には、特定のアイコン１１２の縮小率を５０％に設定する。
【００５１】
次に、情報処理装置１００の第４の動作について説明する。図１０は、タッチパネル７１に表示される画面について説明するための第７の図である。図１１は、タッチパネル７１に表示される画面について説明するための第８の図である。
上述したように、制御部９０は、検知部７１２の検知結果に基づいて１以上のアイコン１１２を囲む左回りの軌跡を検知した場合には、軌跡によって囲まれたアイコン１１２の表示面積を所定の縮小率で縮小してタッチパネル７１に表示させる。この場合、制御部９０は、軌跡によって囲まれたアイコン１１２とは異なる他のアイコン１１２の表示面積を所定の拡大率で拡大してタッチパネル７１に表示させることが好ましい。
【００５２】
例えば、タッチパネル７１に表示されるアイコン「用紙選択」が左回りの軌跡によって囲まれた場合（図１０参照）には、制御部９０は、検知部７１２の検知結果に基づいて軌跡によって囲まれたアイコン「用紙選択」を特定する。制御部９０は、特定したアイコン「用紙選択」の表示面積を所定の縮小率で縮小してタッチパネル７１に表示させる（図１１参照）。さらに、制御部９０は、特定したアイコン「用紙選択」とは異なる他のアイコン１１２（例えば、「原稿サイズ」、「混合サイズ原稿」及び「原稿の向き」等）の表示面積を所定の拡大率で拡大してタッチパネル７１に表示させる（図１１参照）。
【００５３】
次に、情報処理装置１００の第５の動作について説明する。図１２は、タッチパネル７１に表示される画面について説明するための第９の図である。
制御部９０は、検知部７１２の検知結果に基づいて１以上のアイコン１１２を囲む左回りの軌跡を検知した場合には、軌跡によって囲まれたアイコン１１２の表示をタッチパネル７１から消去させることが可能である。この場合、制御部９０は、記憶部８０に記憶される順番情報に基づいて、表示部７１１に表示する順番が若いものから順に、消去されたアイコン１１２に対応する数のアイコン情報を特定して、特定されたアイコン情報に対応するアイコン１１２を表示部７１１に表示させることが可能である。
【００５４】
例えば、タッチパネル７１に表示されるアイコン「用紙選択」が左回りの軌跡によって囲まれた場合（図１０参照）には、制御部９０は、検知部７１２の検知結果に基づいて軌跡によって囲まれたアイコン「用紙選択」を特定する。制御部９０は、特定したアイコン「用紙選択」の表示をタッチパネル７１から消去させる。さらに、制御部９０は、記憶部８０に記憶される順番情報（図３参照）を参照して、表示部７１１から表示が消去されたアイコン１１２の数に対応する数のアイコン情報を特定する。この例においては、アイコン「用紙選択」が表示部７１１から消去されているため、制御部９０は、順番情報において順番１に設定されているアイコン情報「倍率」を特定する。さらにまた、制御部９０は、特定されたアイコン情報「倍率」に対応するアイコン「倍率」を表示部７１１に表示させる（図１２参照）。すなわち、制御部９０は、倍率を変更する機能が割り当てられたアイコン１１２を表示部７１１に表示させる。
【００５５】
以上説明したように、本実施形態の情報処理装置１００によれば、以下の効果が奏される。
すなわち、本実施形態の情報処理装置１００は、第１情報を含むアイコン１１２が第１表示態様で表示部７１１に表示される状態のときに、検知部７１２によって表示部７１１に表示される１以上のアイコン１１２を囲むような軌跡の接触物による接触を検知した場合、そのアイコン１１２を第１表示態様よりも表示面積を拡大した第２表示態様にすると共に、そのアイコン１１２を表示部７１１の中央領域に配置して表示する。これにより、情報処理装置１００は、アイコン１１２の表示態様を変更することができる。さらに、情報処理装置１００は、ユーザが注視するアイコン１１２について視認性と操作性を向上させることができる。
【００５６】
また、情報処理装置１００は、第２表示態様にされたアイコン１１２に第２情報を含ませて表示部７１１に表示させる。これにより、情報処理装置１００は、アイコン１１２に割り当てられた機能をユーザに伝えることができる。また、情報処理装置１００は、アイコン１１２の内部に第２情報としてのアイコン１１２をさらに配置することが可能であるため、アイコン１１２の視認性を向上させることができる。
【００５７】
また、情報処理装置１００は、検知部７１２の検知結果に基づいて、表示部７１１に対する接触物の接触の軌跡により１以上のアイコン１１２が囲まれた回数を検知すると共に、軌跡が描かれる方向を検知し、検知された回数と検知された方向とに基づいて、アイコン１１２を第１表示態様から第２表示態様に変更する場合の拡大率を変える。これにより、情報処理装置１００は、アイコン１１２の表示面積をユーザ毎に適したサイズに設定することができる。すなわち、情報処理装置１００は、アイコン１１２の視認性を向上させることができる。
【００５８】
また、情報処理装置１００は、第１情報を含むアイコン１１２が第１表示態様で表示部７１１に表示される状態のときに、検知部７１２によって表示部７１１に表示される１以上のアイコン１１２を囲むような軌跡の接触物による接触を検知した場合に、そのアイコン１１２とは異なる他のアイコン１１２を第１表示態様よりも表示面積を拡大した第２表示態様にして表示部７１１に表示させると共に、そのアイコン１１２を第１表示態様よりも表示面積を縮小した第３表示態様にして表示部７１１に表示させる。これにより、情報処理装置１００は、ユーザにとって優先度の低いアイコン１１２の表示面積を小さくすることができ、さらに、ユーザにとって優先度の高いアイコン１１２を大きくすることができる。
よって、情報処理装置１００は、アイコン１１２の視認性と操作性を向上させることができる。
【００５９】
また、情報処理装置１００は、検知部７１２の検知結果に基づいて、表示部７１１に対する接触物の接触の軌跡により１以上のアイコン１１２が囲まれた回数を検知すると共に、軌跡が描かれる方向を検知し、検知された回数と検知された方向とに基づいて、アイコン１１２を第１表示態様から第３態様に変更する場合の縮小率を変える。これにより、情報処理装置１００は、ユーザ毎に適したアイコン１１２のサイズに設定することができる。
【００６０】
また、情報処理装置１００は、第１情報を含むアイコン１１２が第１表示態様で表示部７１１に表示される状態のときに、検知部７１２によって表示部７１１に表示される１以上のアイコン１１２を囲むような軌跡の接触物による接触を検知した場合に、そのアイコン１１２を表示部７１１から消去すると共に、記憶部８０に記憶される順番情報に基づいて、表示部７１１に表示する順番が若いものから順に、消去されたアイコン１１２に対応する数のアイコン情報を特定して、特定されたアイコン情報に対応するアイコン１１２を表示部７１１に表示させる。これにより、情報処理装置１００は、ユーザにとって優先度の低いアイコン１１２を表示部７１１から消去することができる。さらに、情報処理装置１００は、順番情報に基づいてアイコン１１２を表示部７１１に表示させるので、ユーザが選択する可能性がより高いアイコン１１２を表示部７１１に表示させることができる。すなわち、情報処理装置１００は、ユーザの要求に応じたアイコン１１２を表示部７１１に表示させることができる。
【００６１】
なお、本発明は、上述した実施形態に限定されることはなく、種々の形態で実施することができる。
本実施形態では、情報処理装置１００がコピー機に搭載される場合について説明した。しかしながら、本発明の情報処理装置１００は、現金自動預け払い機、自動販売機、自動券売機、携帯電話機、携帯情報端末、デジタルゲーム機、携帯オーディオプレーヤー、カーナビゲーション装置等の電子機器に搭載されてもよい。
【００６２】
また、上述した実施形態では、表示部７１１に対する接触物の接触の軌跡が右回りの場合には、アイコン１１２の表示面積を拡大して表示部７１１に表示させ、表示部７１１に対する接触物の接触の軌跡が左回りの場合には、アイコン１１２の表示面積を縮小して表示部７１１に表示させる場合について説明した。しかしながら、本発明の情報処理装置１００は、表示部７１１に対する接触物の接触の軌跡が右回りの場合には、アイコン１１２の表示面積を縮小して表示部７１１に表示させ、表示部７１１に対する接触物の接触の軌跡が左回りの場合には、アイコン１１２の表示面積を拡大して表示部７１１に表示させるようになっていてもよい。
【００６３】
また、本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００６４】
また、本発明の画像形成装置は、上述したコピー機１に限定されることはない。すなわち、本発明の画像形成装置は、コピー機能、ファクシミリ機能、プリンター機能及びスキャナ機能を備える複合機であってもよく、ファクシミリやプリンターであってもよい。
また、本発明の画像形成装置によってトナー画像が定着される被画像形成媒体は用紙Ｔに限定されることはなく、例えば、ＯＨＰ（オーバヘッドプロジェクター）シート等のフィルムシートであってもよい。
【符号の説明】
【００６５】
１…コピー機（画像形成装置）、７１…タッチパネル、７１１…表示部、７１２…検知部、８０…記憶部、９０…制御部、１００…情報処理装置
【図１】
0005422586.tif 000002
【図２】
0005422586.tif 000003
【図３】
0005422586.tif 000004
【図４】
0005422586.tif 000005
【図５】
0005422586.tif 000006
【図６】
0005422586.tif 000007
【図７】
0005422586.tif 000008
【図８】
0005422586.tif 000009
【図９】
0005422586.tif 000010
【図１０】
0005422586.tif 000011
【図１１】
0005422586.tif 000012
【図１２】
0005422586.tif 000013